(57)【要約】      （修正有）【課題】スリッパの脱落を効果的に防止できると共に、持ち運び及び義足への着脱が容易で、かつ安価に製造することができる義足用補助具を提供する。【解決手段】義足使用者は、義足４の甲４１の部分にリング状のゴムのバンド部材２０１を挿着すれば、容易に義足補助具を装着できる。スリッパ５を履くと、バンド部材２０１の表面に設けたＥＶＡの弾性部材２０２が弾性変形してこのスリッパのカバー部分５１に復原力が加わると共に、この弾性部材の表面に設けた網目状のゴムシートの滑り止め部材２０３，２１２，２１１がこのカバー部分の内側に接触して摩擦力が加わる。このことにより、歩行中に義足を前に蹴ったときには、この勢いでスリッパが抜けるのを防ぐと共に、この義足を浮かせたときには、このスリッパの自重で脱落するのを防ぐことができる。【選択図】図４
0003167252.tif 000002
【実用新案登録請求の範囲】
【請求項１】
義足の甲の部分に挿着するバンド部材と、
上記義足の甲に沿って上記バンド部材の表面に設けた弾性部材と、
上記弾性部材の表面に設けた滑り止め部材とを備える
ことを特徴とする義足用補助具。
【請求項２】
義足の甲の部分に挿着するバンド部材と、
上記義足の甲に沿って上記バンド部材の裏面に設けた弾性部材と、
上記弾性部材に沿って上記バンド部材の表面に設けた滑り止め部材とを備える
ことを特徴とする義足用補助具。
【請求項３】
上記義足の足裏に沿って上記バンド部材の表面の少なくとも一部には、滑り止め部材が設けてある
ことを特徴とする請求項１または２に記載の義足用補助具。
【請求項４】
上記バンド部材の裏面の少なくとも一部には、滑り止め部材が設けてある
ことを特徴とする請求項１乃至３のいずれに記載の義足用補助具。
【考案の詳細な説明】
【技術分野】
【０００１】
本考案は、義足使用者が、例えばスリッパを履くときに義足に装着する補助具に関する。
【背景技術】
【０００２】
従来から義足使用者は、健常者と同じように、例えば土足が禁じられている病院や旅館等に入る場合には、運動靴や革靴等の下履きを脱いで、スリッパに履き替えなければならない。しかるに結び紐や留め具等を有する下履きとは異なり、スリッパを義足に係止することは極めて困難であって、歩行中に、容易にスリッパが義足から抜け落ちてしまう。したがって義足使用者は、スリッパが脱げないよう摺り足をしたり不自然な動作で歩行したりしなければならなかった。
【０００３】
ところで足を挿入するスリッパのカバー部分の内側に、弾性発泡体をつけたスリッパが提案されている（例えば特許文献１参照。）。すなわち弾性発泡体の復原力によって足にスリッパを係止し、歩行中にスリッパが脱落しないようにするものである。しかし義足使用者にとっては、このようなスリッパを持ち歩くのは、荷物が増えて煩わしい。また健常者と異なり、足首や足指を一切動かすことができないため、滑り易い義足には係止し難い。さらには、旅館等にとっては、通常のスリッパの他に、弾性発泡体をつけたスリッパを備える必要があり、現実問題として、その分コストと手間が掛かる。
【０００４】
そこでスリッパに特別な加工を施すことなく、義足の足裏から出退する針状の突出部を設けたスリッパの係止装置が提案されている（例えば特許文献２参照。）。すなわちこの係止装置は、義足内に埋め込まれるもので、ノック式ボールペンと同様の機構を用いて、押しボタンの押圧操作により突出部を出したり引っ込めたりしている。
【先行技術文献】
【特許文献】
【０００５】
【特許文献１】実用新案登録第３１５８２５３号公報
【特許文献２】特開２０００−９３４４４号公報
【考案の概要】
【考案が解決しようとする課題】
【０００６】
しかるに上述したスリッパの係止装置は、複雑な構造で製造コストが嵩むばかりでなく、義足にわざわざ貫通孔を開けて取り付ける作業が別途必要となる。さらに突出部によって、スリッパの底を傷つけてしまう恐れがある。またこの係止装置は容易に取り外しできないため、外出時には下履きに履き替え難い。
【０００７】
そこで本考案の目的は、スリッパの脱落を効果的に防止できるだけでなく、携帯に便利で、安価、かつ義足への着脱が容易な義足用補助具を提供することにある。
【課題を解決するための手段】
【０００８】
上記課題を解決するために、本考案による義足用補助具の特徴は、弾性部材の復原力と滑り止め部材の摩擦力によってスリッパを義足に係止すると共に、バンド部材によってこの義足にワンタッチで着脱できることにある。なお、本考案における「義足」とは、足首より下方に位置する部分、いわゆる足部を指す。
【０００９】
すなわち本考案による義足用補助具は、義足の甲の部分に挿着するバンド部材と、上記義足の甲に沿って上記バンド部材の表面に設けた弾性部材と、上記弾性部材の表面に設けた滑り止め部材とを備える。
【００１０】
ところで弾性部材をバンド部材の裏面に設けても、弾性部材の復原力や摩擦力を活かすことができる。そこで、本考案による義足用補助具は、義足の甲の部分に挿着するバンド部材と、上記義足の甲に沿って上記バンド部材の裏面に設けた弾性部材と、上記弾性部材に沿って上記バンド部材の表面に設けた滑り止め部材とを備えるようにしてもよい。
【００１１】
また義足の足裏とスリッパの底面との間の摩擦力を増大すれば、よりスリッパが脱落し難くなると共に、歩行し易くなる。そこで上記義足の足裏に沿って上記バンド部材の表面の少なくとも一部には、滑り止め部材が設けてあることが望ましい。
【００１２】
さらに義足では、上記バンド部材が滑り易く、このバンド部材がずれると、弾性部材がスリッパの裏面に押圧されず、スリッパが脱落してしまうのみならず、この義足補助具が外れる恐れもある。そこで上記バンド部材の裏面の少なくとも一部には、滑り止め部材が設けてあることが望ましい。これにより義足補助具が義足の甲の部分からずれたりすり抜けたりすることを防ぐことができる。
【００１３】
ここで「バンド部材」とは、義足の甲の部分に挿着できるリング状の部材を意味するが、使用に際して、義足の甲の部分に巻き付ける帯状のベルトや面ファスナーも含まれる。なお例えばゴムバンドのように弾性を有する部材であることが望ましい。また「バンド部材」の幅は、１〜３ｃｍが望ましいが、義足の先端から甲に至るまでを覆うキャップ状のものであってもよい。
【００１４】
「弾性部材」には、例えばＥＶＡ（Ethylene Vinyl Acetate：エチレン-酢酸ビニール共重合樹脂）、ＬＤＰＥ（Low Density
Polyethylene：低密度ポリエチレン）、特殊ウレタンフォーム、軟質ウレタンフォーム、低反発ウレタンフォーム、スポンジゴム、スポンジウレタン、または軟性発泡ポリウレタンが該当する。また「弾性部材」の長さは、義足の甲の両端に跨る程度の長さ望ましいが、これより短くてもよい。また「弾性部材」の幅は、「バンド部材」の幅と略同一であることが望ましいが、これより幅が広くても狭くてもよい。また「弾性部材」の厚さは、２〜１５ｍｍ、望ましくは５〜１０ｍｍとする。
【００１５】
「滑り止め部材」とは、上記バンド部材又は弾性部材の表面粗さや摩擦係数を大きくする素材を意味し、例えば網目状、凹凸状若しくはきめが粗いゴムシート、塩化ビニール樹脂、ポリウレタンフォーム、メラミンフォーム、または特殊加工発泡ポリエチレン、並びに軟質のＰＶＣ（Polyvinyl Choloride：ポリ塩化ビニール）等を表面に毛羽立てた素材、又は微細な粒状物を含んだ塗料が該当する。
【考案の効果】
【００１６】
本考案における義足用補助具は、バンド部材の表面に設けた弾性部材の復原力及びこの弾性部材の表面に設けた滑り止め部材の摩擦力により、歩行中にスリッパが義足から脱落することを防止することができる。すなわち義足をスリッパに挿入すると、弾性部材がスリッパのカバー部分の内側面に接触して押圧され、この弾性部材の復原力によって、弾性部材がスリッパのカバー部分の内側面に強く密着する。さらには弾性部材の表面に設けた滑り止め部材の摩擦力によって、スリッパが抜け難くなる。また義足の甲の部分に容易かつ迅速に着脱できると共に、スリッパの着脱も容易かつ迅速にできる。さらに構造が簡単であるため、安価かつ簡単に製造できる。またポケットサイズであるため、携帯に嵩張らない。さらには使用に際してスリッパのカバー部分に隠れるため、使用時の見場もよくなる。
【００１７】
なお弾性部材を上記バンドの裏面に設けることにより、上述したものと同様な作用効果を発揮することができる。
【００１８】
また上記義足の足裏に沿って、上記バンド部材の表面の少なくとも一部に滑り止め部材を設けることにより、スリッパのカバー部分のみならずソール部分にもこの滑り止め部材による摩擦力が加わる。したがってソール部分が滑り難くなり、より効果的に義足からの脱落を防止することができる。
【００１９】
さらに上記バンド部材の裏面の少なくとも一部に滑り止め部材を設けることにより、義足との間の摩擦力が大きくなって、義足用補助具が義足の甲からずれたりすり抜けたりすることを防ぐことができる。したがって、歩行時において床を蹴るときに、義足用補助具をスリッパ内に残したままで、スリッパが義足から抜け落ちることを防止することができる。
【図面の簡単な説明】
【００２０】
【図１】義足用補助具の断面図である。
【図２】他の義足用補助具の断面図である。
【図３】義足用補助具の斜視図である。
【図４】義足用補助具を装着した義足で歩行している状態図である。
【図５】他の義足用補助具の斜視図である。
【考案を実施するための形態】
【００２１】
図１〜４を参照しつつ、本考案による義足用補助具の構成及び作用効果を説明する。最初に図１を用いて、この義足用補助具の構成を説明する。
【００２２】
さて図１に示すように、この義足用補助具は、義足のつま先から通して甲の部分に挿着するバンド部材１と、この義足の甲に沿ってこのバンド部材の表面に設けた弾性部材２と、この弾性部材の表面に設けた滑り止め部材３とを備えている。
【００２３】
バンド部材１は、幅２ｃｍの伸縮自在なリング状のゴムバンドで、義足の甲の外周より小さい内径を有する。弾性部材２は、軽量なＥＶＡ素材で、バンド部材１の表面に接着剤で貼り付けてある。また弾性部材２は、バンド部材１とほぼ同じ幅であって、義足の甲の両脇に跨る長さ有すると共に、１０ｍｍの厚さを有している。さらに滑り止め部材３は、薄い網目状のゴムシートで、弾性部材２の表面に接着剤で貼り付けてある。なお、弾性部材２は、バンド部材１の表面に縫いつけてもよい。
【００２４】
図２は、図１に示す義足用補助具とは弾性部材の位置が異なる義足用補助具である。すなわち図２に示すように、この義足用補助具は、義足のつま先から通して甲の部分に挿着するバンド部材１０１と、この義足の甲に沿ってこのバンド部材の裏面に設けた弾性部材１０２と、この弾性部材に沿ってこのバンド部材の表面に設けた滑り止め部材１０３とを備えている。弾性部材１０２は、バンド部材１０１の裏面に、滑り止め部材１０３は、このバンド部材の表面に、それぞれ接着剤で貼り付けてある。なおその他の点においては、図１に示す義足用補助具と同様の構成となる。
【００２５】
図３は、図１に示す義足用補助具を斜めから見たものである。図３に示すとおり、義足の足裏に沿ってバンド部材２０１の表面には、滑り止め部材２１１が設けてある。この滑り止め部材２１１は、表面に毛羽立てた軟質のＰＶＣシートを、バンド部材２０１の表面に接着剤で貼り付けたものである。またバンド部材２０１の裏面には、義足の足裏に沿ってザラザラした手触りできめが粗いゴム素材が滑り止め部材２１２として設けられている。
【００２６】
次に図４を使って、この義足補助具を装着した義足使用者がスリッパを履いて歩行しているときの作用効果を説明する。なおわかり易く説明するため、スリッパは、断面で示してある。
【００２７】
図４に示すとおり、義足４の甲４１に装着した義足補助具は、スリッパ５のカバー部５１の内側に隠れ、外部からは見えないようになっている。このとき弾性部材２０２は、カバー部５１に押圧されて弾性変形すると共に、このカバー部には、直角に交わる方向に復原力Ｌが加わっている。さらに弾性部材２０２の表面に設けた滑り止め部材２０３が、カバー部５１の内側に接しているため、このカバー部には、スリッパ４が脱落する方向とは逆方向に摩擦力Ｍが加わっている。またバンド部材２０１の表面の滑り止め部材２１１が、このスリッパのソール部５２に接しているため、このソール部には、スリッパ４が脱落する方向とは逆方向に摩擦力Ｎが加わっている。これにより、歩行で義足４を前に蹴ったときには、この勢いでスリッパ５が抜けるのを防ぐと共に、この義足を浮かせたときにも、このスリッパが脱落するのを防ぐため、歩行をスムーズに続けることができる。
【００２８】
またバンド部材２０１は、収縮しようとして義足４の甲４１を締め付けると共に、このバンド部材の裏面の滑り止め部材２１２がこの義足の足裏４２に接しているため、このバンド部材には、この義足補助具がすり抜ける方向と逆向きに摩擦力Ｏが加わっている。これにより、義足用補助具をスリッパ５内に残したままで、このスリッパが義足４から抜け落ちることを防止することができる。
【００２９】
なお図５に他の実施の形態を示す。すなわち図１に示した実施の形態と同様に、まずバンド部材３０１の表面に義足の甲に沿って弾性部材３０２を接着する。次に、弾性部材３０２及びバンド部材３０１の全周を取り巻くように、シート状の滑り止め部材３０３を巻設し、この滑り止め部材の端部を編み込んで固定する。これにより、滑り止め部材を、バンド部材の裏面や弾性部材の表面に貼り付けたり編んだりして固定する場合より、容易に装着できるのみならず、滑り止め部材が、弾性部材やバンド部材から外れ難くなる。また義足の足裏に沿って、バンド部材３０１の全周を取り巻くように、シート状の滑り止め部材３０３を巻設してもよい。
【００３０】
なおこれら義足用補助具を使用する履物は、スリッパやサンダルに限らず、つま先から滑らすように義足を入れる全ての上履き及び下履きが該当する。
【産業上の利用可能性】
【００３１】
本考案による義足用補助具は、義足用補助具の製造や販売に限らず、足首や足指が動かせない骨折患者や麻痺患者等の治療、リハビリ、看護、及び介護に関する産業に広く利用可能である。
【符号の説明】
【００３２】
１、１０１、２０１、３０１                    バンド部材
２、１０２、２０２、３０２                    弾性部材
３、１０３、２０３、３０３、２１１、２１２    滑り止め部材
４                                            義足
４１                                          甲
４２                                          足裏
５                                            義足
５１                                          カバー部
５２                                          ソール部
【図１】
0003167252.tif 000003
【図２】
0003167252.tif 000004
【図３】
0003167252.tif 000005
【図４】
0003167252.tif 000006
【図５】
0003167252.tif 000007